(57)【特許請求の範囲】
【請求項１】
最大寸法が３．０ｍｍ以下の微細体が連続した樹脂皮膜の片面にのみ植設されて突き出た粗面を形成しており、その樹脂皮膜の表面からの微細体の突出長Ｈが０．１〜２．０ｍｍである微細体植設積層体を、その微細体が植設されている粗面を上に向けて床面に密着させて敷設し、裏面が繊維によって構成されており、その裏面を構成する繊維間に隙間があり、その繊維間の隙間を構成している繊維が生地の状態であり、表面積が上記微細体植設積層体の表面積の０．７〜１．５倍の大きさのマットを、当該微細体植設積層体の上に戴置することを特徴とするレンタルマット敷設方法。
【請求項２】
前掲請求項１に記載の微細体植設積層体の微細体の樹脂皮膜からの突出部分が、太さが０．３ｍｍ以下の尖端を有することを特徴とする前掲請求項１に記載のレンタルマット敷設方法。
【請求項３】
前掲請求項１に記載の微細体植設積層体の微細体が無機質粉粒物、プラスチック粉粒物、繊維質粉粒物の何れかであることを特徴とする前掲請求項１に記載のレンタルマット敷設方法。
【請求項４】
前掲請求項１に記載の微細体植設積層体の樹脂皮膜が起伏差１〜２０ｍｍの凹凸を床面の上に形成していることを特徴とする前掲請求項１に記載のレンタルマット敷設方法。
【請求項５】
前掲請求項１に記載の微細体植設積層体の樹脂皮膜と床面の間に接着性樹脂層が介在することを特徴とする前掲請求項１に記載のレンタルマット敷設方法。
【請求項６】
前掲請求項５に記載の接着性樹脂層が樹脂皮膜と床面の間に部分的に介在することを特徴とする前掲請求項５に記載のレンタルマット敷設方法。
【請求項７】
前掲請求項５に記載の樹脂皮膜と接着性樹脂層の間に、引張破断強度が樹脂皮膜よりも強い基材層が介在することを特徴とする前掲請求項５に記載のレンタルマット敷設方法。
【請求項８】
前掲請求項１に記載の基材層が防水性を有することを特徴とする前掲請求項１に記載のレンタルマット敷設方法。
【請求項９】
前掲請求項５に記載の接着性樹脂層が粘着性を有することを特徴とする前掲請求項５に記載のレンタルマット敷設方法。
【請求項１０】
前掲請求項５に記載の接着性樹脂層が界面活性剤を含有することを特徴とする前掲請求項５に記載のレンタルマット敷設方法。
【請求項１１】
前掲請求項１に記載のマットが透水性を有することを特徴とする前掲請求項１に記載のレンタルマット敷設方法。
【発明の詳細な説明】
【０００１】
【産業上の利用分野】
本発明は、主として賃貸業者（リース業者、レンタル業者）が顧客に定期的敷替を約束したマットを建物内外の出入口付近に敷設する方法に関するものである。
【０００２】
【従来の技術】
浴室出入口やサウナ風呂には、足腰等の濡れた素肌の水分を拭き取るためのマットが敷設されている。
そのような水廻りマットには、天然繊維やレーヨン、吸水性アクリル繊維等の吸水性繊維に成る不織布、織物、編物、タオルその他のパイル布帛が使用されている。
【０００３】
また、浴室やサウナ等の水廻り以外のビルやオフイスの出入口には、靴裏に付着している塵埃を拭き取るダスコンマットと称されるダストコントロールマットが使用され、この種のダスコンマットは、繰り返し洗濯し再使用するうちにマット周縁が反り上がらないようにゴムシートや塩化ビニル樹脂等の重厚な裏材が裏打されている。
【０００４】
【発明が解決しようとする課題】
水廻りマットの吸水能は吸水性繊維の使用量に比例して増し、パイル層の厚いマットでは水分を拭き取り易い。しかし同時に、パイル目付の多いマットでは、水分がパイル層に深く浸透するので乾き難くなる。このため、一般家庭におけるように、限られた数人の者が使用する場合は殊更不都合は生じないが、不特定多数の者によって使用される公衆浴場等に敷設される業務用マットでは、拭き取り使用する利用客の数と共にパイル層に含まれる水分も次第に増え、不快感を与える程に濡れてしまうので、一日に何回ともなく敷き替えなければならなくなる。しかし、パイル層の厚いマットはそれ自体が重く、それが濡れると更に重く持ち運び難いものとなる。加えて、パイル層の厚いマットでは、それを乾かす迄には長時間を要するので、何枚ものマットを用意し、敷き替える度に洗濯して代る代る使用しなければならなくなるので、専用の洗濯装置や乾燥装置、そしてそれらを設置する広い作業場が必要となる。このため、公衆浴場等で使用される業務用マットの敷き替えは、専門業者に頼らざるを得ないのが実情である。
【０００５】
特に、ゴムシートや塩化ビニル樹脂等の重厚な裏材が裏打されたダスコンマットは水廻りマットに較べて遙に重く取り扱い難いので、その多くは専門業者が賃貸し定期的に洗濯し敷き替え等の維持管理（メンテナンス）を行っているが、マット賃貸業者が一つのビルやホテル等に敷設した数多くのダスコンマットを取り替えて回収するマットの取替・回収作業は労災を惹き起こしかねない程の重労働となる。
【０００６】
【発明の目的】
そこで本発明は、特にマット賃貸業者が取り扱う水廻りマットやダスコンマット（本発明では、これらのマットをレンタルマットと総称する。）を、敷替や運搬、洗濯、乾燥等のメンテナンスに好都合な軽量可撓なものとし、それを使用中にズレ移動しないように床面に敷替自在に確り敷設し得るようにすることを目的とする。
【０００７】
【課題を解決するための手段】
本発明に係るレンタルマット敷設方法は、最大寸法Ｍが３．０ｍｍ以下の微細体１１が樹脂皮膜１２の表面に植設されて突き出た粗面を形成しており、その樹脂皮膜１２の表面からの微細体１１の突出長Ｈが０．１〜２．０ｍｍである微細体植設積層体１３を床面１４に形成すること、然る後、裏面が繊維によって構成されており、その裏面を構成する繊維間に隙間１５があり、表面積が上記微細体植設積層体１３の表面積の０．７〜１．５倍の大きさのマット１６を、当該微細体植設積層体１３の上に戴置することを第１の特徴とするものである。
【０００８】
ここに最大寸法Ｍは、微細体１１を種々の方向から測定した場合に最大となる微細体１１の寸法を意味し、微細体１１が木材やプラスチックの鋸屑や砂のように顆粒状を成すものではその最大となる粒径を意味し、微細体１１が繊維の微細な破片である場合にはその破片の繊維長を意味する。微細体植設積層体１３は、床面１４に塗布した樹脂の塗膜（１２）の上に微細体１１を散布し飛着させて植設する直接施工法、又は、工場その他の場所で予め微細体１１を植設しておいた樹脂皮膜１２を床面１４に接着する間接施工法によって床面１４に形成する。
【０００９】
微細体１１には無機質粉粒物やプラスチック粉粒物、繊維質粉粒物等が使用されるが、それには製材所や木工所、製鉄所や鉄工所、プラスチック加工所、シャリングや研磨工場などから排出される鋸屑や研磨屑その他の細かい破片を使用することが出来、それらの破片によって微細体１１が樹脂皮膜１２から突き出た太さ０．３ｍｍ以下の尖端１７が形成されるようにするとよい。直接施工法と間接施工法の何れによる場合でも、樹脂皮膜１２が床面１４に起伏差１〜２０ｍｍの凹凸を形成するようにし、樹脂皮膜１２と床面１４の間には接着性樹脂層１８を部分的或いは連続させて介在せしめ、又、樹脂皮膜１２と接着性樹脂層１８の間に引張破断強度が樹脂皮膜１２よりも強い基材層１９を介在せしめ、その基材層１９を防水層にしてレンタルマット１６には透水性を有するものを用い、更には、接着性樹脂層１８には粘着剤を用い且つ界面活性剤を配合することも出来る。
【００１０】
従って本発明の第２の特徴は、前記第１の特徴に加え、微細体植設積層体１３の微細体１１の樹脂皮膜１２からの突出部分が、太さが０．３ｍｍ以下の尖端１７を有することにある。
本発明の第３の特徴は、前記第１の特徴に加え、微細体植設積層体１３の微細体１１が無機質粉粒物、プラスチック粉粒物、繊維質粉粒物の何れかによって構成されていることにある。
本発明の第４の特徴は、前記第１の特徴に加え、微細体植設積層体１３の樹脂皮膜１２が起伏差１〜２０ｍｍの凹凸を床面１４の上に形成されていることにある。
本発明の第５の特徴は、前記第１の特徴に加え、微細体植設積層体１３の樹脂皮膜１２と床面１４の間に接着性樹脂層１８が介在していることにある。
本発明の第６の特徴は、前記第５の特徴に加え、接着性樹脂層１８が樹脂皮膜１２と床面１４の間に部分的に介在していることにある。
本発明の第７の特徴は、前記第５の特徴に加え、樹脂皮膜１２と接着性樹脂層１８の間に、引張破断強度が樹脂皮膜１２よりも強い基材層１９が介在していることにある。
本発明の第８の特徴は、前記第７の特徴に加え、基材層１９が防水層を形成していることにある。
本発明の第９の特徴は、前記第５の特徴に加え、接着性樹脂層１８が粘着性を帯びていることにある。
本発明の第１０の特徴は、前記第５の特徴に加え、接着性樹脂層１８が界面活性剤を含有していることにある。
本発明の第１１の特徴は、前記第１の特徴に加え、レンタルマット１６が透水性を有することにある。
従って本発明に係るレンタルマット敷設方法の第１２の特徴は、前記第１の特徴に加え、上記第２から第１１までの何れか２以上の特徴を具備することである。
【００１１】
樹脂皮膜１２による起伏差１〜２０ｍｍの凹凸を床面１４の上に形成するには、直接施工法においては床面１４に樹脂１２を部分的に塗布すればよく、又、間接施工法においては予め微細体１１を植設しておいた樹脂皮膜１２を一定の隙間をおいて部分的に床面に接着すればよい。勿論、樹脂皮膜１２と床面１４の間に接着性樹脂層１８を介在させ、或いは、樹脂皮膜１２と接着性樹脂層１８の間に基材層１９を介在させる場合には、それらの接着性樹脂層１８や基材層１９に凹凸を付け、又は、それらの接着性樹脂層１８や基材層１９を部分的に形成し、その凸部２０に樹脂皮膜１２の一部が突き上げられる恰好にしてもよいし、又、その凸部２０の上面にのみ樹脂皮膜１２を形成してもよい。
【００１２】
接着性樹脂層１８は、樹脂皮膜１２を床面１４に密着させるために積層するものであり、樹脂皮膜１２や基材層１９それ自体が強い接着性を有するときは省かれる。間接施工法において、樹脂皮膜１２や基材層１９それ自体が強い接着性を有する場合としては、それらが粘着性樹脂や熱融着性樹脂、あるいは、溶剤によって接着性を帯びる樹脂で形成されるものが挙げられる。
【００１３】
接着性樹脂層１８に界面活性剤を付与するのは、レンタルマット１６が不要になった床面１４から微細体植設積層体１３を剥離除去した際に床面１４に残る接着性樹脂層１８の破断片を加湿膨潤させて綺麗に剥離除去し得るようにするためである。基材層１９には、プラスチックフイルムや布帛、紙、或いは、それらを積層した多層積層シート等が使用されるが、そのように接着性樹脂層１８が界面活性剤を含有していて吸湿膨潤性を有するものであるときは特に、それが使用中に吸湿して接着力を失わないようにするため、基材層１９に防水シートを用いる。
【００１４】
微細体１１に無機質粉粒物やプラスチック粉粒物等を使用し、その樹脂皮膜１２からの突出部分を太さ０．３ｍｍ以下の尖端１７にするのは、レンタルマット１６の裏面が繊維によって構成されていて無数の細かい隙間１５があり、レンタルマット１６を微細体植設積層体１３の上に戴置した場合に、微細体１１の尖端１７がレンタルマット裏面の繊維間隙間１５に入り込んでレンタルマット１６が微細体植設積層体１３と一体化する。特に、レンタルマット１６は、踏みつけられて使用されるものであるから、使用中に踏まれれば踏まれるほど微細体植設積層体１３と密着一体化する。そのようにしてレンタルマット１６は、ズレ移動したり周縁が反り上がり難いものとなり、その結果、従来重量感を与えてズレ移動を防いだり反り上がりを防いだりするために裏打していた重厚な裏材が不要となり、それが天然繊維やレーヨン、吸水性アクリル繊維等の吸水性繊維に成るものであれば、一般に足拭きマットに使用されている厚手のパイル布帛のみならず、手拭いや湯上がりタオルのような比較的薄手のパイル布帛、更には、手拭きに使用されているような不織布、織物、編物等の一般の布帛をもレンタルマット１６として使用することが出来るようになり、レンタルマット１６が敷替や運搬、洗濯、乾燥等のメンテナンスに好都合な軽量可撓なものとなる。
【００１５】
勿論、雑巾のように布帛を何枚も重ね合わせてミシン掛けしたステッチボンド布帛もレンタルマット１６として使用し得ることは言うまでもないことである。それ故に微細体１１には鋸屑のように複雑に切断された木目（導管）の細かい突起が突き出ている木粉、表面に角張った細かい凹凸がある川砂、その外の鉱物質粉末、太さが０．３ｍｍ以下の繊維破片等を使用することが推奨される訳である。レンタルマット１６の大きさ（表面積）を微細体植設積層体１３の大きさ（表面積）の０．７〜１．５倍とするのは、レンタルマット１６と微細体植設積層体１３の間に多少の寸法上の過不足があり、重ね合わせた場合に一方の周縁が他方の周縁から多少食み出るようなことがあっても、その程度の寸法上の過不足は、レンタルマット１６が微細体植設積層体１３に密着一体化してズレ移動したり周縁が反り上がり難いものになると言う本発明の効果の妨げにはならないことを意味する。
【００１６】
【公知技術との関係】
ところで繊維破片１１ａが植設された微細体植設積層体１３は、それを拡大して見れば一種のカットパイル布帛と見ることが出来る。このため、レンタルマット１６にパイル布帛を使用する場合には一見して床面に敷き込んだカットパイルカーペット、所謂一次カーペット、の上に、付飾的に置き敷き使用されるマット、所謂二次カーペット、を重ね敷きしたかの如き観を呈することになる。この点で、本発明は、一次カーペットの上に二次カーペットを置き敷き使用する場合に生じる不都合を解消する手段、即ち、二次カーペットのズレ移動を防止するために提案されている種々の公知技術（以下、単に公知技術と言う。）、例えば、次の〔表１〕に示す特許出願公開公報および実用新案登録出願公開公報に開示されたものと混同され易い面がある。そこで本発明と〔表１〕に示す公知技術との相異について以下説明する。
【００１７】
【表１】
0003728631.tif 000002
【００１８】
公知技術は、長さが概して５〜２０ｍｍで緻密に基布に垂直に単糸繊度が１０デニール以下で概して１〜５デニールの繊維になるカットパイルを植設したクッション性すなわちパイル層の圧縮弾性回復力に優れた一次カーペットの上に置き敷きされた小サイズの二次カーペットが、踏まれる度に足からの押圧を受け、その度に、その下の一次カーペットのカットパイルが斜めに倒れる。その一次カーペットのカットパイルの傾斜した方向に、そのカットパイルの先端が傾斜して移動した分だけ、そのカットパイルの移動方向に、そのカットパイルの先端と共に、二次カーペットが移動することになる。そして、足が二次カーペットから離れ、二次カーペットの下で押圧されていた一次カーペットのカットパイルが、その押圧から解放されると、そのカットパイルの有する弾性回復力によって、そのカットパイルは元の直立した状態に復帰することになる。その復帰する過程において、足からの押圧がなくなると、二次カーペットがその自重の分だけ一次カーペットのカットパイルに軽く接するだけの状態、つまり、二次カーペットが一次カーペットのカットパイルの上に浮いた状態、より詳しく言えば、接着した場合のように一次カーペットのカットパイルに強く係合した状態にはならない。このため、そのカットパイルの先端が移動し復帰する分だけ、そのカットパイルの移動し復帰する方向に、そのカットパイルの先端と共に、二次カーペットは、その傾斜状態から直立状態に復帰する一次カーペットのカットパイルの先端に追随して移動せず、足からの押圧を受けて倒れる一次カーペットのカットパイルの先端と共に移動したままの状態に取り残されることになる。このようにして一次カーペットの上に置敷した二次カーペットは、踏まれる度に、一次カーペットのカットパイルが倒れてその先端が動いた分だけズレ移動し、その繰り返しによって次第に大きくズレ移動することになる。
【００１９】
【公知技術に対比される本発明の特異点】
公知技術は、このようにして二次カーペットがズレ移動することを防ぐための手段である。その〔表１〕に示す公知技術の必須要件は、一次カーペットの表面のパイルの先端に密着し係合する突起物や粘着性物質等を、二次カーペットの裏面に付設することにある。従って、公知技術に対比される本発明の相異は次の点にある。
（１）  レンタルマット１６の裏面には、公知技術の二次カーペットの裏面に見られるような突起物や粘着性物質はなく、バッキング材の裏打されない二次カーペットの原反のように、レンタルマット１６の裏面は繊維によって構成され、その構成する繊維が生地の状態でレンタルマット１６の裏面に露出している。
（２）  微細体植設積層体１３の表面は、公知技術の一次カーペットの表面のように全面がカットパイルによって形成されておらず、拡大した場合にカットパイルのように見える繊維破片１１が静電植毛等の方法によって植設されている。
つまり本発明における繊維破片１１ａを植設した微細体植設積層体１３は、繊維破片１１ａの突出長Ｈが０．１〜２ｍｍと公知一次カーペットのパイルに比して著しく短いため、その上にレンタルマットを載置しても、繊維破片１１ａにはそのレンタルマット１６を押し上げるだけの弾撥力はなく、繊維破片１１ａはレンタルマット１６の繊維間の隙間１５に食い込み、レンタルマット１６が樹脂皮膜１２と密着した恰好になり、その結果、公知二次カーペットとは異なりレンタルマット１６が微細体植設積層体の上でズレ移動することは起こり得ないと言うことになる訳である。
【００２０】
【本発明の実施態様】
レンタルマット１６は、その表面に素肌を接して使用することが出来、裏面が繊維１５によって構成されているものであればよく、それには前記の通りタオル織物、パイル織物（モケット）、タフテッドパイル布帛、パイル編物等のほか、フエルトや一般の薄手の織物や編物その他の不織布も使用することが出来る。勿論、バッキング剤によってパイルを基布に接着したカーペットでも、その裏面にフエルトその他の布帛を貼り合わせれば、それをレンタルマット１６として本発明を実施することも出来る。バスタオルや手拭いのように樹脂加工の施されていない布帛や、基布２２に多数の透水孔があるパイル布帛のように透水性を有するレンタルマット１６を使用する場合において、微細体植設積層体１３に起伏差１〜２０ｍｍの凹凸を形成する場合には、レンタルマット１６が比較的薄手のものであっても、それに付着した水はレンタルマット１６から微細体植設積層体１３の凹部２１へと垂れ落ちるので、レンタルマット１６の水拭き取り機能が維持される。そのような場合には、樹脂皮膜１２と接着性樹脂層１８の間の基材層１９を防水性にし、接着性樹脂層１８や床面１４への水の滲み込みを防止する。
【００２１】
【発明の効果】
本発明によると、樹脂皮膜１２や接着性樹脂層１８を介して床面に植設された微細体１１は、レンタルマット裏面の繊維間の隙間１５に入り込んでレンタルマット１６と一体化するので、床面上１４で滑動したり周縁が反り上がり難くなり、従来レンタルマットに裏打していた重厚な裏材は不要となる。
【００２２】
特に、裏材の裏打されないレンタルマット１６では、慣用されるバスタオルを見て分かるように、マット基布２２と裏材の収縮差に起因する周縁での反り上がりと言うことはありえないので、敷設されるレンタルマット１６は床面１４によく密着したものとなる。そのように裏材のないレンタルマット１６は柔軟可撓で洗濯し易く、而も、軽く持ち運び易いので、敷替や運搬、洗濯、乾燥等のメンテナンスに好都合である。
【００２３】
そして微細体植設積層体１３に起伏差１〜２０ｍｍの凹凸を付けたものでは、レンタルマット１６をバスマットとして使用するとき、その表面に付着した水分はその凹部２１へと透過して排出されるので、レンタルマット１６は常に水を拭き取り易い乾燥状態におかれ、その使用において不快なベタツキ感を与えない。
【００２４】
一方、何らかの理由によって微細体植設積層体１３からレンタルマット１６が取り外された未敷設状態におかれることがあっても、微細体１１は最大寸法Ｍが３．０ｍｍ以下の微細なものであり、その突出長Ｈも０．１〜２．０ｍｍと極く短いので、微細体植設積層体１３の上を素足で踏んでも痛みを感じさせず、微細体の間の隙間に入り込んだ塵埃も容易に除去し得、それ故に、微細体植設積層体１３とレンタルマット１６の間の多少の寸法差は何ら本発明の効果の妨げになるものではなく、本発明の実施による不都合は何ら生じない。
特にそのためには、微細体１１は、それが無機質粉粒物や非発泡プラスチック粉粒物のように固いものでは最大寸法Ｍを１．０ｍｍ以下として樹脂皮膜１２からの突出長Ｈも０．５ｍｍ以下と極短くし、又、それが繊維破片のように柔軟可撓で折れ曲がり易いものでは最大寸法Ｍを３．０ｍｍ以下として樹脂皮膜１２からの突出長Ｈも２ｍｍ以下と極短くすることが推奨される。
【００２５】
そして樹脂皮膜１２と接着性樹脂層１８の間に防水性の基材層１９を介在させ、その接着性樹脂層１８に界面活性剤を混在させ、或いは、その接着性樹脂層１８を部分的に介在させる場合には、レンタルマット１６が不要になった床面１４から微細体植設積層体１３を剥離除去した際に床面１４に残る接着性樹脂層１８の破断片を加湿膨潤させて綺麗に剥離除去することが出来、レンタルマットのメンテナンス契約を解除して床面１４を元通り微細体植設積層体１３のない状態に戻す場合に好都合である。
【図面の簡単な説明】
【図１】本発明に係るレンタルマットの床面に敷設された状態での断面図であり、丸印内はレンタルマットの一部拡大図である。
【図２】本発明に係るレンタルマットの床面に敷設された状態での断面図であり、丸印内はレンタルマットの一部拡大図である。
【図３】本発明に係る微細体植設積層体１３の床面に積層された状態での断面図である。
【図４】本発明に係る微細体植設積層体１３の床面に積層された状態での断面図である。
【図５】本発明に係る微細体植設積層体１３の床面に積層された状態での断面図である。
【図６】本発明に係る微細体植設積層体１３の床面に積層された状態での断面図である。
【符号の説明】
１１  微細体
１２  樹脂皮膜
１３  微細体植設積層体
１４  床面
１５  繊維間隙間
１６  レンタルマット
１７  尖端
１８  接着性樹脂層
１９  基材層
２０  凸部
２１  凹部
２２  基布
Ｈ    突出長
Ｍ    最大寸法
【図１】
0003728631.tif 000003
【図２】
0003728631.tif 000004
【図３】
0003728631.tif 000005
【図４】
0003728631.tif 000006
【図５】
0003728631.tif 000007
【図６】
0003728631.tif 000008